(57)【要約】【課題】撮影条件を変化させて取得した複数の画像の中からベストショットを容易に選択可能とするデジタルカメラを提供することである。【解決手段】本発明の一態様は、被写体を撮影する撮像素子１４と、上記撮像素子１４により取得した複数の画像のそれぞれについてヒストグラムに基づいて所定条件、例えば最適な露出条件で撮影された画像を選択し、モニタユニット５４に上記複数の画像をインデックス表示で一覧表示すると共に、この選択された画像を他の画像とは異なる形態で表示する制御回路４０を有するデジタルカメラである。【選択図】      図２
2006295244.tif 000002
【特許請求の範囲】
【請求項１】
被写体を撮影する撮像手段と、
上記撮像手段により取得した複数の画像のそれぞれについてヒストグラムに基づいて所定条件に該当する画像を選択する選択手段と、
上記複数の画像を一覧表示すると共に、上記選択手段で選択された画像を他の画像とは異なる形態で表示する表示手段と、
を具備することを特徴とするデジタルカメラ。
【請求項２】
上記選択手段は、上記ヒストグラムに基づいて最適な露出条件で撮影された画像を選択することを特徴とする請求項１に記載のデジタルカメラ。
【請求項３】
上記選択手段は、上記ヒストグラムに基づいて白とび画像、若しくは、黒つぶれ画像を選択することを特徴とする請求項１に記載のデジタルカメラ。
【請求項４】
上記選択手段は、上記複数の画像のそれぞれについてヒストグラムを作成し、それぞれのヒストグラムの所定範囲内の度数を比較することで、最適な露出条件で撮影された画像を選択することを特徴とする請求項１に記載のデジタルカメラ。
【請求項５】
上記選択手段は、上記複数の画像のそれぞれについてヒストグラムを作成し、それぞれのヒストグラムの所定範囲内の度数を比較することで、白とび画像、もしくは、黒つぶれ画像を選択することを特徴とする請求項１に記載のデジタルカメラ。
【請求項６】
上記表示手段は、上記選択手段で選択された画像を縁取りして表示するようにしたことを特徴とする請求項１に記載のデジタルカメラ。
【発明の詳細な説明】
【技術分野】
【０００１】
本発明は、撮影条件を変更しながら複数回の撮影を連続的に行うことにより取得された画像群を表示するデジタルカメラに関する。
【背景技術】
【０００２】
従来のデジタルカメラの中には、露出値等の撮影条件を変化させながら複数回の撮影を行うことで最適な画像を取得する、所謂ブラケット撮影機能を有するものがある。
【０００３】
そのようなデジタルカメラの場合、液晶モニタ等の表示装置を具備しており、画像選択ボタンの操作に応答して表示装置にて撮影画像を一枚ずつ順番に表示し、それによってブラケット撮影した画像の中から最適な１枚を選択可能としている。
【０００４】
また、複数の画像の中から最適な１枚を選択するための他の技術として、複数の縮小画像を１度に表示する方法（マルチインデックス表示）、代表画像（１枚、又は所定枚）だけを表示する方法等、種々の技術が提案されている。
【０００５】
例えば特許文献１では、被写体を撮影するデジタルカメラであって、撮影条件の少なくとも１つを変更しつつ複数回の撮影を連続的に行い、この連続撮影により取得された画像群のそれぞれの画像にグループ信号を付与し、同グループ信号に基づいて目的とする画像の選択を容易に行うデジタルカメラが開示されている。
【特許文献１】特開２００１−２８５７７９号公報
【発明の開示】
【発明が解決しようとする課題】
【０００６】
しかしながら、上記従来技術のように、１枚ずつ表示していては操作が煩わしいだけでなく、どれが最適な画像であるかを瞬時には判断できない。また、複数の画像を並べて表示する場合、一枚の画像が小さすぎるので、それが最適露出であるかを判別し難い。
【０００７】
本発明の目的とするところは、撮影条件を変化させて取得した複数の画像の中からベストショットを容易に選択可能とすることにある。
【課題を解決するための手段】
【０００８】
上記目的を達成するために、本発明の第１の態様では、被写体を撮影する撮像手段と、上記撮像手段により取得した複数の画像のそれぞれについてヒストグラムに基づいて所定条件に該当する画像を選択する選択手段と、上記複数の画像を一覧表示すると共に、上記選択手段で選択された画像を他の画像とは異なる形態で表示する表示手段と、を具備することを特徴とするデジタルカメラが提供される。
【０００９】
本発明の第２の態様では、上記第１の態様において、上記選択手段は、上記ヒストグラムに基づいて最適な露出条件で撮影された画像を選択することを特徴とするデジタルカメラが提供される。
【００１０】
本発明の第３の態様では、上記第１の態様において、上記選択手段は、上記ヒストグラムに基づいて白とび画像、若しくは、黒つぶれ画像を選択することを特徴とするデジタルカメラが提供される。
【００１１】
本発明の第４の態様では、上記第１の態様において、上記選択手段は、上記複数の画像のそれぞれについてヒストグラムを作成し、それぞれのヒストグラムの所定範囲内の度数を比較することで、最適な露出条件で撮影された画像を選択することを特徴とするデジタルカメラが提供される。
【００１２】
本発明の第５の態様では、上記第１の態様において、上記選択手段は、上記複数の画像のそれぞれについてヒストグラムを作成し、それぞれのヒストグラムの所定範囲内の度数を比較することで、白とび画像、もしくは、黒つぶれ画像を選択することを特徴とするデジタルカメラが提供される。
【００１３】
本発明の第６の態様では、上記第１の態様において、上記表示手段は、上記選択手段で選択された画像を縁取りして表示するようにしたことを特徴とするデジタルカメラが提供される。
【発明の効果】
【００１４】
本発明によれば、撮影条件を変化させて取得した複数の画像の中からベストショットを容易に選択可能とするデジタルカメラを提供することができる。
【発明を実施するための最良の形態】
【００１５】
(第１の実施の形態)
図１は本発明の第１の実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１６】
これらの図１（ａ），（ｂ）に示されるように、このデジタルカメラ１は、ボディユニット２と該ボディユニット２に装着可能なレンズユニット３とで構成されている。
【００１７】
即ち、レンズユニット３は、複数のレンズより成るもので、ボディユニット２内の後述する撮像素子１４に撮影光束を導くための撮影レンズ４を有している。
【００１８】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には撮影画面内の複数のポイントについて自動測距を行うためのマルチ測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００１９】
そして、図２に示されるように、デジタルカメラ１のボディユニット２の上面部には、表示部２０とシャッタ釦２１、サブダイヤル２２、撮影モードダイヤル２３、メインスイッチ２４が設けられている。また、ボディユニット２の背面部には、ファインダ接眼部２６とモニタ１６、メインダイヤル２５、十字キー２８、確定ボタン２９が設けられている。より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。十字キー２８は撮影条件の設定や撮影済画像を再生する際の指示部材である。そして、確定ボタン２９は各種設定を確定するために操作される部材である。
【００２０】
図３は、本発明の第１の実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００２１】
即ち、レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、演算時に使用される各種データが記憶されるものである。これらのレンズユニット３内の各部は、ボディユニット２内の制御回路４０からの指令に従って制御される。
【００２２】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、マルチ測距回路４５、測光回路４６、メモリ４７、記憶回路４８、スイッチ入力部５０、表示駆動回路５１、画像表示回路５３、ストロボ駆動回路５７、上述したレンズユニット３内のレンズ駆動回路３１、絞り駆動回路３３及びレンズ内データ用メモリ３４が接続されている。撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。マルチ測距回路４５は、マルチ測距ユニット１２を駆動するためのものであり、このマルチ測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや、記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１やサブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。ストロボ駆動回路５７はストロボ発光部５８を駆動制御するための回路である。
【００２３】
以下、図４のタイミングチャートを参照して、本発明の第１の実施の形態に係るデジタルカメラによる基本的な撮像動作について詳細に説明する。尚、図中、ｔAはセカンドレリーズからのタイムラグを示しており、ｔBはファインダの像消失時間を示している。
【００２４】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、セカンドレリーズがオンされてからｔA時間経過したタイミングで撮像素子１４による撮像を行う。クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、全ての動作を終了する。
【００２５】
次に、図５のタイミングチャートを参照して、本発明の第１の実施の形態に係るデジタルカメラによるブラケット連写モード（５コマ撮影）時の撮影動作について詳細に説明する。
【００２６】
以下の説明では、図１乃至図３の構成図を適宜参照する。尚、図５中、ｔBはファインダの像消失時間を示し、ｔI1は１コマ目と２コマ目の間隔、ｔI2は２コマ目と３コマ目の間隔、ｔI3は３コマ目と４コマ目の間隔、ｔI4は４コマ目と５コマ目の間隔（ｔI1＝ｔI2＝ｔI3＝ｔI4＝2.0msec）、ｔ1は１コマ撮影までのレリーズタイムラグ、ｔ2は２コマ撮影までのレリーズタイムラグ、ｔ3は３コマ撮影までのレリーズタイムラグ（標準のレリーズタイムラグに相当）、ｔ4は４コマ撮影までのレリーズタイムラグ、ｔ5は５コマ撮影までのレリーズタイムラグ、をそれぞれ意味している。
【００２７】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3，ｔ4，ｔ5をもって連続５回の撮像を撮像素子１４により行う。即ち、制御回路４０はブラケット連写モード時においては、通常撮影モード時の基本タイミングで１回、基本タイミングの前後、所定の間隔ｔI2，ｔI3のタイミングで２回、基本タイミングの前後、所定の間隔ｔI1＋ｔI2，ｔI3＋ｔI4のタイミングで２回の計５回の撮影を行うように制御する。
【００２８】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／sec程度の連写が可能な素子シャッタ付きのイメージャを採用する。
【００２９】
以下、図６のフローチャートを参照して、本発明の第１の実施の形態に係るデジタルカメラによる撮影動作を更に詳細に説明する。ここでは、図１乃至図３を適宜参照する。
【００３０】
シャッタ釦２１が半押しされてファーストレリーズ（以下、１Ｒと略記する）がオンされると（ステップＳ１）、マルチ測距ユニット１２により撮影画面内の複数ポイントを測距し、最も近距離にある被写体に焦点合わせを行うマルチＡＦ動作を行い、測光ユニット９による測光を行い、その結果に基づいて露出条件の演算を行う（ステップＳ２，Ｓ３）。
【００３１】
そして、制御回路４０は、被写体輝度が十分であるか（例えば所定の閾値以下であるか否かを判断する）を判断し（ステップＳ４）、十分でない場合にはストロボ発光量演算を行い（ステップＳ５）、ストロボ発光のためのフラグＦを１にセットし（ステップＳ６）、ステップＳ７に移行してシャッタ釦２１の全押しによるセカンドレリーズ（以下、２Ｒと略記する）がオンされるまでステップＳ１乃至Ｓ７の処理を繰り返す。
【００３２】
２Ｒがオンされると（ステップＳ７）、クイックリターンミラー５をアップすると共にレンズの絞込みを行い（ステップＳ８）、ブラケット連写モード（複数駒撮影モード）であるか否かを判断する（ステップＳ９）。ここで、ブラケット連写モードである場合には、シャッタユニット４４に含まれるシャッタ先幕マグネットをオフし（ステップＳ１０）、撮像素子１４をリセットし（ステップＳ１１）、上記ストロボ発光に係るフラグＦの状態を検出し（ステップＳ１２）、Ｆ＝１である場合にはストロボ発光部５８によるストロボ発光を行う（ステップＳ１３）。一方、このステップＳ１２において、Ｆ＝０である場合には、撮像データを読み出して、メモリ４７に一時的に記憶させる（ステップＳ１４）。こうして、制御回路４０は、露出設定回数だけ撮像を完了したか否かを判断し（ステップＳ１５）、当該回数だけ撮像を完了していない場合には、電子シャッタの条件を変更し（ステップＳ２７）、当該変更後の条件下で上記ステップＳ１１以降の処理を繰り返す。即ち、電子シャッタの条件を変更しつつ、露出設定回数だけ上記ステップＳ１１乃至Ｓ１４の処理を繰り返し、複数駒撮像を実行し（ステップＳ１５）、設定回数だけ処理が終了すると、シャッタ後幕マグネットをオフし（ステップＳ１６）、ステップＳ２３以降の処理に進むことになる。
【００３３】
一方、連写モードではない場合には（ステップＳ９）、シャッタユニット４４に含まれるシャッタ先幕マグネットをオフし（ステップＳ１８）、撮像素子１４をリセットし（ステップＳ１９）、上記ストロボ発光に係るフラグＦの状態を検出し（ステップＳ２０）、Ｆ＝１である場合にはストロボ発光部５８によるストロボ発光を行う（ステップＳ１３）。このストロボ発光の後、或いは上記ステップＳ２０でＦ＝０である場合には、撮像データを読み出して、メモリ４７に一時的に記憶させ（ステップＳ２１）、シャッタ後幕マグネットをオフし（ステップＳ２２）、ステップＳ２３以降の処理に進む。こうして、クイックリターンミラー５をダウンすると共にレンズ絞り開放とし（ステップＳ２３）、メカチャージを行い（ステップＳ２４）、ストロボ発光に係るフラグＦを０とし（ステップＳ２５）、メモリ４７に一時記憶された撮影データを記録メディア４９に保存し、本動作を終了する。
【００３４】
このように、この実施の形態によれば、被写体光束を上記観察光学系に導く第１の位置と、上記被写体光束の光路中から退避して上記被写体光束を撮像素子に導くため第２の位置に可動するクイックリターンミラー５と、このクイックリターンミラー５が上記第２の位置にある所定の期間に上記撮像素子１４を複数回の撮像を行なうように制御する制御回路４０を備えたデジタルカメラが提供される。このクイックリターンミラー５が上記第２の位置にある所定の期間に上記撮像素子１４に対し１回の撮像を行なわせる１駒撮影モードと、上記所定の期間に上記撮像素子に対し複数回の撮像を行なわせる複数駒撮影モードとのどちらかを選択して撮像を行なわせることも可能である。即ち、本実施の形態に係るデジタルカメラによれば、素子シャッタを搭載した一眼レフカメラにおいて、全撮影シーケンスの時間は同等のままで、１回のクイックリターンミラーの駆動シーケンスにおける撮影枚数を１コマと複数コマに選択的に切換可能とすることができるので、複数コマを選択すれば、早く動く被写体等を的確に捉えた撮影が可能となる。
【００３５】
次に図７のフローチャートを参照して、上記露光動作により記録メディア４９に保存された撮影データの再生動作について詳細に説明する。
【００３６】
十字キー２８が操作されて最新画像が選択されると（ステップＳ３０）、当該画像がブラケット連写モード下で撮影された画像であるか否かを制御回路４０は判断する（ステップＳ４０）。ここで、ブラケット連写モード下で撮影された画像である場合には後述するサブルーチン「連写画像表示」を実行する（ステップＳ３２）。
【００３７】
一方、ブラケット連写モード下で撮影された画像ではない場合、つまり通常モード下で撮影されたものである場合には単写画像表示を行う（ステップＳ３３）。
【００３８】
続いて、再生モードを終了するか否かを制御回路４０が判断する（ステップＳ３４）。
【００３９】
ここで、再生モードを終了すると判断した場合には十字キー２８の操作が有るか否かを判断し（ステップＳ３６）、当該十字キー２８の操作がある場合には当該操作に対応した画像を選択し上記ステップＳ３１に戻り（ステップＳ３７）、十字キー２８の操作がない場合には、更に確定ボタン２９の操作があるか否かを判断し（ステップＳ３８）、当該確定ボタン２９の操作がなされた場合には、当該操作で選択されていない画像を消去し（ステップＳ３９）、上記ステップＳ３４に戻り、上記動作を繰り返す。上記ステップＳ３８にて確定ボタン２９の操作がない場合にも、上記ステップＳ３４に戻り、上記動作を繰り返す。このステップＳ３８の操作は、確定ボタン２９の操作により、一括表示されている画像の中で記録を残したいものにロックを掛けるためのものであり、この操作によりロックがかけられていないものは、ステップＳ３９にて自動的に消去される。この処理に代えて、確定ボタン２９により消去すべき画像を特定するようにしてもよい。
【００４０】
ここで、図８のフローチャートを参照して、上記ステップＳ３２で実行されるサブルーチン「連写画像表示」の動作について詳細に説明する。ここでは、最適コマの選択を行う例を説明する。以下、図９（ａ）乃至（ｅ）及び図１０の概念図を適宜参照する。
【００４１】
本サブルーチンに入ると、制御回路４０は、ブラケット連写モードの下で連続撮影された複数画像（この例では５コマ撮影されたものとする）の各画像のヒストグラムを演算する（ステップＳ４１）。ここで、「ヒストグラム」とは分布を調べる度数分布図であり、デジタル画像におけるヒストグラムは主に画像のデータ分布を表したグラフを意味する。そして、ここでいう画像のデータ分布とは、横軸に明るさ、縦軸に明るさ毎の画素数を積み上げ、画像の明暗の傾向を山なりのグラフで示したものである。デジタル画像は、細かい点々で表され、明るさや色は内部で数値化されているので、暗い点は左に、明るい点を右に積み上げてヒストグラムを作成する。縦軸、横軸の数値に決まりは無く、例えば一般的なデジタル画像であるＲＧＢの８ビットであるならば、横軸を０〜２５５（２５６階調）として、真っ黒は０、純白は２５５、中間はその間の数値として、画像の中の横軸の該当する場所に積み上げていく。このように演算されたヒストグラムを見れば、山が左にいくほどに暗く右にいくほどに明るい傾向の画像であるということが分かる。
【００４２】
続いて、制御回路４０は、図９（ａ）に示すような判定領域Ｅ１の度数を各ヒストグラムにおいて比較する（ステップＳ４２）。
【００４３】
ここで、判定領域Ｅ１は、明るさを示す横軸において、全領域（０〜２５５）から０から所定の割合（この例では約２０％）の領域と、２５５より所定の割合（この例では２０％）前の領域を除いた領域であるものと定義する。前者の領域での度数が高い場合には所謂黒つぶれ画像、後者の領域での度数が高い場合には所謂白とび画像である可能性が高いことから、適正な画像を判別するために、これらの領域を全領域から除いた判定領域Ｅ１による判定を行う。即ち、図９（ａ）乃至（ｅ）はそれぞれの上段が連写モード下で撮影された各画像Ａ１〜Ａ５を示しており、下段が当該画像のヒストグラムの演算結果を示している。この演算結果より、この例では画像Ａ３が判定領域Ｅ１内で最も度数が高いものと判断されることになる。この度数の高さは、例えば判定領域Ｅ１内の度数の全体に占める割合等に基づいて判断することができる。
【００４４】
このようにして、複数の画像の中から、上記判定領域Ｅ１における度数の高いものを選択し（ステップＳ４３）、インデックス表示用の画像を作成し（ステップＳ４４）、マルチインデックス表示を行い（ステップＳ４５）、リターンする。
【００４５】
このステップＳ４５では、例えば図１０に示されるようなマルチインデックス画面１００が表示されることになるが、制御回路４０は、先に図９（ａ）乃至（ｅ）の各上段に示した画像Ａ１〜Ａ５のうち、上記判定領域Ｅ１での度数が最も高いもの、つまりこの例では画像Ａ３が適正なベストモード画像であるものと判断し、それをユーザに示唆すべく画面１００の中でハイライト表示する。尚、このハイライト表示の態様は、白での縁取り、緑での縁取り、縁の点灯等、種々のものを採用できる。
【００４６】
尚、図８の処理は以下のように改良することも可能である。
【００４７】
即ち、図８の例では、判定領域Ｅ１において度数の高いものを最適画像として選択していたが、この判定領域Ｅ１に代えて図１１（ａ）の下段に示されるような黒つぶれ判定領域Ｅ２、白とび判定領域Ｅ３を採用し、黒つぶれ判定領域Ｅ２内の度数が高いものは黒つぶれ画像である可能性が高いものとし、白とぶ判定領域Ｅ３内の度数が高いものは白とび画像である可能性が高いものとし、これらを警告の観点から図１２に示されるような画面２００の中で警告表示するようにしてもよい。この場合には、前述した図８のフローチャートにおいて、ステップ４２，４３の処理が、判定領域Ｅ２，Ｅ３に基づく黒つぶれ画像、白とび画像の選択との処理に換わることになる。
【００４８】
図１１（ａ）乃至（ｅ）は、それぞれの上段がブラケット連写モード下で撮影された各画像Ｂ１〜Ｂ５を示しており、下段が当該画像のヒストグラムの演算結果を示している。この演算結果より、この例では画像Ｂ１が判定領域Ｅ２内で最も度数が高いもの、つまり黒つぶれ画像である可能性が高いものと判断され、画像Ｂ５が判定領域Ｅ３内で最も度数の高いもの、つまり白とび画像である可能性の高いものと判断され、図１２の画面２００の表示の中で、白や赤での縁取り、あるいは点灯等により示唆される。
【００４９】
以上詳述したように、本発明の一実施の形態によれば、選択手段としての制御回路４０等が、上記撮像手段としての撮像素子１４により取得した複数の画像のそれぞれについてヒストグラムに基づいて最適な露出条件で撮影された画像を選択し、上記複数の画像を表示手段としてのモニタ１６に一覧表示すると共に、上記選択された画像を他の画像とは異なる形態で表示することができるので、最適画像を迅速に選択することが可能となる。あるいは、上記ヒストグラムに基づいて白とび画像、若しくは、黒つぶれ画像を選択することとすれば、消去すべき対象を迅速に選択することが可能となる。
【００５０】
以上、本発明の一実施の形態について説明したが、本発明はこれに限定されることなくその趣旨を逸脱しない範囲で種々の改良・変更が可能であることは勿論である。
【００５１】
例えば、上記実施の形態では、最適画像のハイライト表示、或いは白とび、黒つぶれ画像の警告表示を行う例を示したが、これに限定されることなく、最適度合いの高い順番に優先順位を付して、それをあわせて表示するようにしてもよい。
【図面の簡単な説明】
【００５２】
【図１】（ａ）は本発明の第１の実施の形態に係るデジタルカメラの正面図、（ｂ）はデジタルカメラの側面図である。
【図２】図１のデジタルカメラを背面側より見た外観斜視図である。
【図３】本発明の第１の実施の形態に於けるデジタルカメラの電気系のシステム構成を示すブロック図である。
【図４】本発明の第１の実施の形態に係るデジタルカメラによる基本的な撮像動作について詳細に説明するタイムチャートである。
【図５】本発明の第１の実施の形態に係るデジタルカメラによるブラケット連写モード（５コマ撮影）時の撮影動作について詳細に説明するタイムチャートである。
【図６】本発明の第１の実施の形態に係るデジタルカメラによる撮影動作を更に詳細に説明するフローチャートである。
【図７】図６の露光動作により記録メディア４９に保存された撮影データの再生動作について詳細に説明する。
【図８】図７のステップＳ３２で実行されるサブルーチン「連写画像表示」の動作について詳細に説明する。
【図９】（ａ）乃至（ｅ）は、各上段はブラケット連写モード下で撮影された各撮影画面、下段は演算されたヒストグラムを示す図である。
【図１０】マルチインデックス画面１００を示す図である
【図１１】（ａ）乃至（ｅ）は、各上段は連写モード下で撮影された各撮影画面、下段は演算されたヒストグラムを示す図である。
【図１２】マルチインデックス画面２００を示す図である
【符号の説明】
【００５３】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・マルチ測距ユニット、１３・・・フォーカルプレーンシャッタ、１４・・・撮像素子、１５・・・メイン回路基板、１６・・・モニタ。
【図１】
2006295244.tif 000003
【図２】
2006295244.tif 000004
【図３】
2006295244.tif 000005
【図４】
2006295244.tif 000006
【図５】
2006295244.tif 000007
【図６】
2006295244.tif 000008
【図７】
2006295244.tif 000009
【図８】
2006295244.tif 000010
【図９】
2006295244.tif 000011
【図１０】
2006295244.tif 000012
【図１１】
2006295244.tif 000013
【図１２】
2006295244.tif 000014